(57)【要約】      （修正有）【課題】撮影距離の目盛の単位を容易に変更することができるレンズユニットを提供する。【解決手段】レンズユニット１は、撮影距離が目盛Ｓを用いて示されている。そして、目盛Ｓは、レンズユニット１の光軸Ｌを中心線Ｌ’とし、中心線Ｌ’を回動軸として回動する筒形状を有する表示部材２の外周面３に表示されている。そして、表示部材２の外周面３の一部を露出し他の部分を隠す窓部材４を備えている。そして、表示部材２は、中心線Ｌ’を実質的に変えずに中心線Ｌ’と平行の方向に位置変更が可能である。そして、その位置変更によって、窓部材４から露出させる目盛Ｓを、異なる距離単位のものに変更可能である。【選択図】図２
2019032553.tif 000002
【特許請求の範囲】
【請求項１】
レンズユニットにおいて、
上記レンズユニットの光軸を回動軸として回動できる撮影距離調節機構部材と、
撮影距離を距離単位の異なる複数の目盛で表示し、上記撮影距離調節機構部材の回動と共に回動し、上記撮影距離調節機構部材に対して上記光軸に沿う方向に移動でき、所定の表示位置における上記目盛の表示内容を異ならせる表示部材と、
上記表示部材の前記回動と共に回動し、前記表示部材の径方向に重なりあって配置されるガイド部材と、
を有し、
前記表示部材と上記ガイド部材のいずれか一方は突起部を有し、他方は上記光軸に沿う方向に延び上記突起部を挿入可能な凹部を有する、
ことを特徴とするレンズユニット。
【請求項２】
請求項１に記載のレンズユニットにおいて、
上記表示部材に上記移動をさせることができる非固定の状態と、上記移動をさせることができない固定した状態とを選択できる固定器具と、
上記光軸に沿う方向の幅が上記複数の目盛のうちの一つの種類の目盛を表示できる幅であり、上記一つの種類の目盛が配置される上記所定位置に形成される窓が形成される窓部材と、
を有することを特徴とするレンズユニット。
【請求項３】
請求項１または２に記載のレンズユニットにおいて、
上記固定器具は、上記複数の目盛の光軸に沿う方向の配置に合わせて上記表示部材の上記撮影距離調節機構部材に対する固定位置を選択できる、
ことを特徴とするレンズユニット。
【請求項４】
請求項１から３に記載のレンズユニットにおいて、
上記固定器具は、
固定ビスと、
上記表示部材に上記複数の目盛ごとに対応して形成され上記固定ビスが締結される第１のビス固定穴と、
上記固定ビスが通される第２のビス固定穴と、
を有することを特徴とするレンズユニット。
【請求項５】
請求項４に記載のレンズユニットにおいて、
上記第２のビス固定穴は、上記表示部材の周方向に長い長孔である、
ことを特徴とするレンズユニット。
【請求項６】
請求項１から５のいずれか１項に記載のレンズユニットにおいて、
上記凹部の上記光軸の周方向における幅の寸法は、上記突起部を遊嵌できる幅である、
ことを特徴とするレンズユニット。
【発明の詳細な説明】
【技術分野】
【０００１】
本発明は、レンズユニットに関する。
【背景技術】
【０００２】
撮影距離が目盛を用いて示されるカメラの表示装置についての技術が、たとえば、特許文献１により開示されている。他にも、映画またはテレビ放送用等のレンズユニットには、メートル表示またはフィート表示等の撮影距離の目盛が付いている。
【先行技術文献】
【特許文献】
【０００３】
【特許文献１】特開平７−０９２５４３号公報
【発明の概要】
【発明が解決しようとする課題】
【０００４】
映画またはテレビ放送用のレンズユニットでは、使用者が見慣れた単位の目盛を表示させたいと希望することが多い。そこで目盛の単位を変更させるためには、レンズユニットのメーカーのサポートセンターにレンズユニットを送り、そのサポートセンターにてレンズユニットを分解して目盛の単位表示部品を付け替える必要があった。このような付け替えは、非常に煩雑である。
【０００５】
そこでこのような煩雑さを避けるべく、本発明の目的は、撮影距離の目盛の単位を容易に変更することができるレンズユニットを提供することである。
【課題を解決するための手段】
【０００６】
上記目的を達成するため、本発明のレンズユニットは、レンズユニットの光軸を回動軸として回動できる撮影距離調節機構部材と、撮影距離を距離単位の異なる複数の目盛で表示し、撮影距離調節機構部材の回動と共に回動し、撮影距離調節機構部材に対して光軸に沿う方向に移動でき、所定の表示位置における目盛の表示内容を異ならせる表示部材と、表示部材の前記回動と共に回動し、表示部材の径方向に重なりあって配置されるガイド部材と、を有し、表示部材とガイド部材のいずれか一方は突起部を有し、他方は上記光軸に沿う方向に延び突起部を挿入可能な凹部を有する、ことを特徴とする。
【０００７】
ここで、表示部材に移動をさせることができる非固定の状態と、移動をさせることができない固定した状態とを選択できる固定器具と、光軸に沿う方向の幅が複数の目盛のうちの一つの種類の目盛を表示できる幅であり、一つの種類の目盛が配置される所定位置に形成される窓が形成される窓部材と、を有することとしても良い。
【０００８】
また、固定器具は、複数の目盛の光軸に沿う方向の配置に合わせて表示部材の撮影距離調節機構部材に対する固定位置を選択できる、こととしても良い。
【０００９】
また、固定器具は、固定ビスと、表示部材に複数の目盛ごとに対応して形成され固定ビスが締結される第１のビス固定穴と、固定ビスが通される第２のビス固定穴と、を有することとしても良い。
【００１０】
また、第２のビス固定穴は、表示部材の周方向に長い長孔である、こととしても良い。
【００１１】
また、凹部の光軸の周方向における幅の寸法は、突起部を遊嵌できる幅である、こととしても良い。
【００１２】
上記目的を達成するため、本発明のレンズユニットは、撮影距離が目盛を用いて示され、目盛は、レンズユニットの光軸を中心線とし、中心線を回動軸として回動する筒形状またはその筒形状の周方向の所定範囲を切り取った形状を有する表示部材の外周面に表示され、外周面の一部を露出し他の部分を隠す窓部材を備え、表示部材は、中心線を実質的に変えずに中心線と平行方向に位置変更が可能であり、その位置変更によって、窓部材から露出させる目盛を、異なる距離単位のものに変更可能である。
【００１３】
ここで本発明のレンズユニットは、表示部材を固定具によって固定する固定部材を備え、固定をしていない状態では、表示部材をその周方向に位置調整ができることとしても良い。
【００１４】
また本発明のレンズユニットは、表示部材の回動に伴って回動し、表示部材の径方向に重なりあって配置されるガイド部材を備え、表示部材とガイド部材の一方に凸状の突起部、もう一方に突起部が挿入される凹部を有し、凹部が中心線と平行方向に伸び、突起部が凹部に挿入された状態でその伸びた方向に表示部材が移動可能であることとしても良い。
【発明の効果】
【００１５】
本発明では、撮影距離の目盛の単位を容易に変更することができるレンズユニットを提供することができる。
【図面の簡単な説明】
【００１６】
【図１】本発明の実施の形態に係るレンズユニットの正面図である。
【図２】図１の窓部材と撮影距離調節機構部材の一部を切り欠いて表示部材の隠れていた部分を示す図である
【図３】図１および図２に示す表示部材２の正面図である。
【図４】レンズユニットの撮影距離を、フィートの距離単位の目盛で表示した状態を示す図である。
【発明を実施するための形態】
【００１７】
（本発明の実施の形態に係るレンズユニットの構成および動作）
以下、本発明の実施の形態に係るレンズユニットについて、図面を参照しながら説明する。図１は、本発明の実施の形態に係るレンズユニットの正面図である。
【００１８】
レンズユニット１は、撮影距離が目盛Ｓを用いて示されている。そして、目盛Ｓは、レンズユニット１の光軸Ｌを中心線Ｌ’とし、中心線Ｌ’を回動軸として回動する筒形状を有する表示部材２の外周面３に表示されている。そして、表示部材２の外周面３の一部を露出し他の部分を隠す窓部材４を備えている。そして、表示部材２は、中心線Ｌ’を実質的に変えずに中心線Ｌ’と平行の方向（図１における上下方向または縦方向）に位置変更が可能である。そして、その位置変更によって、窓部材４から露出させる目盛Ｓを、異なる距離単位のものに変更可能である。
【００１９】
図１に示す撮影距離調節機構部材５（固定部材）は、光軸Ｌ（中心線Ｌ’）を回動軸として回動することができる。そして、撮影距離調節機構部材５の回動によって、レンズユニット１の撮影距離が変化する。この撮影距離調節機構部材５と表示部材２とは、固定ビス６によって、中心線Ｌ’から９０°間隔に外周面３をその周方向（中心線Ｌ’と直交する線で表示部材２を切った断面形状の最外周に沿った方向、以下同じ。）に区切る位置で４箇所で固定されている。そのため、表示部材２は、撮影距離調節機構部材５の回動およびレンズユニット１の撮影距離の変化に伴って中心線Ｌ’を回動軸として回動する。
【００２０】
そして、窓部材４は、表示部材２および撮影距離調節機構部材５とは固定されていない部材である。すなわち窓部材４は、表示部材２および撮影距離調節機構部材５の回動に影響されて回動等しない部材である。そして、窓部材４の開口部である窓７は、表示部材２の目盛Ｓ（メートルの距離単位の目盛）の一部を露出可能である。そのため、レンズユニット１の撮影距離の変化に伴う撮影距離調節機構部材５の回動によって、窓部材４の窓７から露出する表示部材２の目盛Ｓの露出状態が変化する。その目盛Ｓの露出状態の変化は、レンズユニット１の撮影距離の変化を示す。撮影距離調節機構部材５によって調節されるレンズユニット１の撮影距離は、その調節状態に従って、窓部材４の一部を肉薄にした肉薄部４Ａに記された指標線４Ｂが指し示す、窓部材４の窓７から露出する目盛Ｓの位置にて逐次示される。この指標線４Ｂは、表示部材２の回動によっても位置が変わらず固定されている線である。なお、この肉薄部４Ａを窓部材４に形成せず、たとえば窓部材とは別に用意した板状部材（指標線が記されたもの）を窓部材４に貼り付けて、指標線４Ｂと同等の役割を担わせても良い。さらに、指標線４Ｂは必ずしもレンズユニット１が備える必要はない。
【００２１】
図２は、図１の窓部材４と撮影距離調節機構部材５の一部を切り欠いて表示部材２の隠れていた部分を示す図である。また、図３は、図１および図２に示す表示部材２の正面図である。
【００２２】
表示部材２には、メートル用ビス固定穴８Ａと、フィート用ビス固定穴８Ｂが形成されている。また、撮影距離調節機構部材５には、ビス固定穴９が形成されている。図１および図２では、メートル用ビス固定穴８Ａとビス固定穴９とが、固定具である固定ビス６によって固定されている。
【００２３】
また、図３に示すように、表示部材２には、メートルの距離単位の目盛Ｓと、フィートの距離単位の目盛Ｓ’が刻印されている。メートルの距離単位の目盛Ｓには、目印として「メートル」の記号である「ｍ」の文字が、また、フィートの距離単位の目盛Ｓ’には、目印として「フィート」の記号である「ｆｔ」の文字が刻印されている。
【００２４】
ここで、図１に示すレンズユニット１の正面図の裏側から見える背面側にも、窓部材４の窓７と同様の窓が形成されている。そして、その窓からは、図１および図２の正面図から見える目盛Ｓと同じ距離単位の目盛Ｓ１、または図４に示す目盛Ｓ’と同じ距離単位の目盛Ｓ１’が露出され表示されている。目盛Ｓ１，Ｓ１’は、図２、図３および図４に示している。
【００２５】
ここで、図２に示すレンズユニット１の状態から、レンズユニット１の撮影距離を、窓部材４の窓７からフィートの距離単位の目盛Ｓ’で表示する際の操作を説明する。まず、メートル用ビス固定穴８Ａとビス固定穴９とを固定している固定ビス６を外す。そして、表示部材２を図２における上側にスライド移動させる。そして、フィート用ビス固定穴８Ｂとビス固定穴９とを、固定ビス６によって固定する。以上の容易な作業で上述の操作が終了する。図４は、この操作終了後の状態を示す図で、レンズユニット１の撮影距離を、フィートの距離単位の目盛Ｓ’で表示した状態を示す図である。この図４は、図３と同様に、図１の窓部材４と撮影距離調節機構部材５の一部を切り欠いた図で、図１に示す表示部材２の固定位置を変更した図である。
【００２６】
また、メートル用ビス固定穴８Ａとフィート用ビス固定穴８Ｂは、表示部材２の周方向に伸びる長穴となっている。そのため、メートル用ビス固定穴８Ａまたはフィート用ビス固定穴８Ｂとビス固定穴９とが、固定ビス６によって固定されていない状態では、表示部材２をその周方向にその長穴の長さ分だけ位置調整ができる。
【００２７】
（本発明の実施の形態によって得られる主な効果）
上述のように、本発明の実施の形態に係るレンズユニット１は、撮影距離の目盛の単位を容易に変更することができる。特に映画またはテレビ用のレンズユニットは、アメリカ人と日本人の両者に使用される場合がある。そのような場合には、日本人は撮影距離の目盛がメートルで表示されている方がわかりやすく、アメリカ人は撮影距離の目盛がフィートで表示されている方がわかりやすい。そのような場合に、サポートセンターで目盛を交換する手間、および、２種類の目盛を表示する表示部材を作製し保管しておく手間等を、レンズユニット１を使用することで無くすることができる。
【００２８】
また、ビス固定穴８Ａ,Ｂとビス固定穴９とが、固定ビス６によって固定されていない状態では、表示部材２をその周方向にその長穴の長さ分だけ位置調整ができる。そのため、レンズユニット１に搭載されるカメラを変更した際に生じ得る、指標線４Ｂが指し示す目盛Ｓ，Ｓ’の位置（レンズユニット１が示す撮影距離）と実際の撮影距離とのズレを修正することが可能となる。
【００２９】
（他の形態）
上述した本発明の実施の形態に係るレンズユニット１は、本発明の好適な形態の一例ではあるが、これに限定されるものではなく本発明の要旨を変更しない範囲において種々の変形実施が可能である。
【００３０】
たとえば、表示部材２の目盛Ｓ，Ｓ’の距離単位は、メートル、フィートではなく、ヤード、マイル、インチ等の他の距離単位とすることができる。また、表示部材２は、２種類の距離単位を表示し、その中から１の距離単位を選択した。しかし、表示部材２の目盛は、３種類以上の距離単位を表示し、その中から１の距離単位を選択するようにすることができる。
【００３１】
また、表示部材２は、筒形状としたが、筒形状の周方向の所定範囲を切り取った形状等としても良い。
【００３２】
また、レンズユニット１は、図１に示す正面図の裏側から見える背面側にも、窓部材４の窓７と同様の窓が形成されている。しかし、窓部材４に開けられる窓は１つでも良いし、３つ以上でも良い。
【００３３】
また、表示部材２を固定する固定部材は、撮影距離調節機構部材５としたが、これに限られない。この固定部材は、たとえば、撮影距離調節機構部材５に取り付けられる別の部材等としても良い。また、レンズユニット１は、メートル用ビス固定穴８Ａまたはフィート用ビス固定穴８Ｂとビス固定穴９とを、固定具である固定ビス６によって固定している。しかし、この固定に用いる各要素または部材（「固定器具」と称する）は、他のものとすることができる。たとえば、固定具は、表示部材２と固定部材とを挟み込んで押圧固定するもの等とすることもできる。
【００３４】
また、ビス固定穴８Ａ、ビス固定穴８Ｂとビス固定穴９とが、固定ビス６によって固定されていない状態では、表示部材２をその周方向にその長穴の長さ分だけ位置調整ができるようにされている。しかし、このような構成は採用する必要はない。たとえば、ビス固定穴８Ａ、ビス固定穴８Ｂは、長穴ではなく、真円の穴とすることができる。
【００３５】
また、撮影距離調節機構部材５と表示部材２とは、中心線Ｌ’から９０°間隔に外周面３をその周方向に区切る位置で４箇所で固定されている。しかし、撮影距離調節機構部材５と表示部材２との固定位置、固定箇所の数、固定位置間隔は、適宜変更できる。たとえば、撮影距離調節機構部材５と表示部材２は、中心線Ｌ’から１８０°間隔に外周面３をその周方向に区切る位置で２箇所で固定されていても良い。
【００３６】
また、レンズユニット１は、表示部材２の回動に伴って回動し、表示部材２の径方向に重なりあって配置されるガイド部材を備えることができる。そして、表示部材２とガイド部材の一方に凸状の突起部、もう一方にその突起部が挿入される凹部を有することとしても良い。そして、その凹部が光軸Ｌ（中心線Ｌ’）と平行方向に伸び、その突起部がその凹部に挿入された状態でその伸びた方向に表示部材２が移動可能であることとしても良い。このような構成を採用することによって、表示部材２をスライド移動させて、表示する距離単位を変更する際に、表示部材２をその周方向へ大きくずらない効果を得ることができる。
【００３７】
このような突起部と凹部を有する構成において、凹部の幅寸法（表示部材２をスライド移動させる方向と直交する方向の寸法）は、凹部に挿入される部分の突起部の太さよりも所定距離大きくすることができる。その所定距離を、たとえばビス固定穴８Ａ,８Ｂの長穴の長さ分等とすることで、表示部材２をその周方向に略その長穴の長さ分だけ位置調整できる効果を維持しつつ、表示部材２をスライド移動させる際に表示部材２をその周方向へ大きくずらない効果を得ることができる。
【符号の説明】
【００３８】
１  レンズユニット
２  表示部材
３  外周面
４  窓部材
５  撮影距離調節機構部材（固定部材）
６  固定ビス（固定具）
Ｓ，Ｓ’  目盛
Ｌ  光軸（中心線）
【図１】
2019032553.tif 000003
【図２】
2019032553.tif 000004
【図３】
2019032553.tif 000005
【図４】
2019032553.tif 000006